(57)【要約】【課題】  分波回路により受信信号を高域側信号と低域側信号とに分離してスイッチングを行なう際に、スイッチ回路のコンパクト化と高アイソレーション特性とを両立でき、しかも全体を安価に構成できる高周波信号処理回路を提供する。【解決手段】  高周波信号処理回路２において、分波回路４４により分離された高域側信号と低域側信号のうち、高域側信号を取り扱う高域側スイッチ回路４２Ｂのスイッチ素子を高周波用化合物半導体トランジスタＴｒ１〜Ｔｒ３にて構成し、低域側信号を取り扱う低域側スイッチ回路４２Ａのスイッチ素子をＰＩＮダイオードＤ1，Ｄ3にて構成する。【選択図】        図３
2006148975.tif 000002
【特許請求の範囲】
【請求項１】
複数の通信周波数帯間で切り替え可能な無線電話端末に使用される高周波信号処理回路であって、
アンテナに接続して使用され、受信信号と送信信号との入出力に共用されるアンテナ側入出力端子と、
前記アンテナ側入出力端子につながり、前記アンテナを介して受信する受信信号を、高域側信号と低域側信号とに分離する分波回路と、
前記高域側信号を取り扱うために設けられ、前記分波回路からの、前記高域側信号の周波数帯に属する分波受信信号を前記無線電話端末の受信回路側へ出力する受信出力端子と、前記無線電話端末の送信回路からの前記高域側信号の周波数帯に属する送信出力信号が入力される送信入力端子とを備え、それら受信出力端子と送信入力端子との前記アンテナ側入出力端子に対する接続を切り換えるとともに、当該切り替えを行なうスイッチ素子として高周波用化合物半導体トランジスタを用いる高域側スイッチ回路と、
前記低域側信号を取り扱うために設けられ、前記分波回路からの、前記低域側信号の周波数帯に属する分波受信信号を前記無線電話端末の受信回路側へ出力する受信出力端子と、前記無線電話端末の送信回路からの前記低域側信号の周波数帯に属する送信出力信号が入力される送信入力端子を備え、それら受信出力端子と送信入力端子との前記アンテナ側入出力端子に対する接続を切り替えるとともに、当該切り替えを行なうスイッチ素子としてＰＩＮダイオードを用いる低域側スイッチ回路と、
を有したことを特徴とする高周波信号処理回路。
【請求項２】
前記低域側スイッチ回路において、前記ＰＩＮダイオードと並列なコイルが設けられていない請求項１記載の高周波信号処理回路。
【請求項３】
前記高周波用化合物半導体トランジスタがＧａＡｓ系ＧａＡｓ系電界効果トランジスタにて構成されてなる請求項１又は２に記載の高周波信号処理回路。
【請求項４】
前記高域側スイッチ回路は、
前記高域側信号の周波数帯域に属する複数の通信周波数帯であって、一方の通信周波数帯の端末受信帯と他方の通信周波数帯の端末送信帯との間で重なりを有する２つの通信周波数帯を含んだ複数の通信周波数帯を取り扱うものであり、
前記複数の通信周波数に個別に対応した複数の受信出力端子を有し、
前記送信入力端子が前記アンテナ側入出力端子に接続された送信接続モードと、前記受信出力端子が前記アンテナ側入出力端子に接続された受信接続モードとの間で相互切り替えを行なうとともに、前記受信接続モードにおいては、前記受信出力端子のうち、使用する通信周波数帯に対応するものを１つ選択して前記アンテナ側入出力端子に接続するものとされてなる請求項１ないし３のいずれか１項に記載の高周波信号処理回路。
【請求項５】
前記分波回路がハイパスフィルタ回路とローパスフィルタ回路とからなり、それらハイパスフィルタ回路とローパスフィルタ回路との構成部品が、回路パターンと誘電体層とが積層された積層体において、回路パターンに組み込まれた形で内層されてなり、かつ、前記高域側スイッチ回路に含まれる前記高周波用化合物半導体トランジスタが前記積層体の表面に実装されてなる請求項１ないし４のいずれか１項に記載の高周波信号処理回路。
【請求項６】
前記高域側スイッチ回路の送信入力端子が、前記２つの通信周波数帯において共用化される単一端子として構成され、かつ該送信入力端子に、それら２つの通信周波数の端末送信帯を包含する通過帯域を有する送信用ローパスフィルタ回路が接続されてなる請求項５記載の高周波信号処理回路。
【請求項７】
請求項１ないし６のいずれか１項に記載の高周波信号処理回路と、
該高周波信号処理回路の前記アンテナ側入出力端子に接続されるアンテナと、
前記複数の受信出力端子に個別に接続された端末受信帯抽出用バンドパスフィルタ回路及び前記受信回路と、
前記送信入力端子に接続される送信回路と、
を備えたことを特徴とする無線電話端末。
【発明の詳細な説明】
【技術分野】
【０００１】
本発明は、無線電話端末に使用する高周波信号処理回路とそれを用いた無線電話端末に関する。なお、本発明の適用対象となる無線電話端末は、無線電話回線網を利用して双方向通信を行なう装置全般を意味し、携帯電話機やＰＨＳ（Personal Handy phone System）などの一般的な意味での無線電話器はもちろん、端末機能を組み込んだ電話機や逆に電話回線接続機能を有した可搬型コンピュータなどの携帯型端末装置、無線電話回線接続用モデム、及び該モデムを組み込んだ可搬型コンピュータなども概念として包含する。
【背景技術】
【０００２】
【特許文献１】特開２０００−１６５２７４号公報
【特許文献２】特開２００１−１８５９０２号公報
【０００３】
上記の無線電話端末、例えばデジタル携帯電話機において、アンテナと送信回路との接続、及びアンテナと受信回路との接続を切り替えるために、高周波スイッチが用いられている。特に近年ではデジタル携帯電話機の普及台数が急激に増加しており、通信規格も次々と新しい種類のものが設定され、採用されるに至っている。また、加入回線数の増加に伴い、使用する電波の周波数も当初の数１００ＭＨｚ帯から、ＧＨｚ帯へと拡張しており、通信方式に応じて種々の通信波数帯（バンド）が割り当てられている。
【０００４】
デジタル携帯電話機の通信方式は、通信会社、あるいは国や地域によって異なるものが採用される。当然、通信方式の異なる地域間を旅行等で頻繁に往復する利用者にとっては、各方式に対応した電話機を何台も持ち歩くのは不便であるし、我が国をはじめ、同一の地域内でも方式の異なる通信方式が並存していることもあるので、同じ利用者が、個々の通信方式の利点を生かすため使い分けを行ないたいという願望も出てくる。そこで、このようなニーズに応えるため、１台の電話機で複数の異なるバンドの送受信系を取り扱うことができるマルチバンド電話機が開発され、普及しつつある（特許文献１、特許文献２）。
【０００５】
このようなマルチバンド電話機においては、受信信号を高域側信号と低域側信号とに分離する分波回路（ダイプレクサ）が設けられ、分波後の高域側信号と低域側信号とは、それぞれ独立したスイッチ回路により、時分割方式で送受信が切り替えられる。
【発明の開示】
【発明が解決しようとする課題】
【０００６】
従来、携帯電話のアンテナスイッチには、ＰＩＮダイオードを用いたスイッチ回路が用いられてきた。ＰＩＮダイオードを用いた高周波のスイッチングでは、制御電圧が順バイアスのときはＰＩＮダイオードが低インピーダンス状態となり、同じく逆バイアス時には、ＰＩＮダイオードが小容量のコンデンサと等価な高インピーダンス状態となることを利用する。このため、ＰＩＮダイオードの周辺にはバイアス回路の一部をなすコイルやコンデンサが必要となり、回路が複雑化する欠点がある。
【０００７】
また、逆バイアス時においては、通信周波数が高くなるにつれてアイソレーション特性が損なわれやすい問題がある。これは、スイッチ回路に使用するＰＩＮダイオードの静電容量に由来した逆方向バイアス時のリアクタンス成分が、周波数が高くなるほど小さくなって、信号がＰＩＮダイオードを通過しやすくなるためである。以下、携帯電話における問題点を具体的に説明する。
【０００８】
すなわち、携帯電話機の加入者の数は年々増加する一方であり、加入者の増加に伴って回線が不足気味となる国や地域では新たな周波数帯が割り当てられ、複数の周波数帯でサービスが行なわれるようになっている。例えば、全世界で採用されている携帯電話機の規格の一つにＧＳＭ（Global System for Mobile Communication）がある。これは、当初は欧州にて一般化していた方式であるが、近年では使用地域が大幅に拡大し、地域毎に周波数帯と名称の異なる何種類ものＧＳＭ方式が乱立している。北米ではＧＳＭ８５０、欧州、東南アジア、中近東、中国、南米、アフリカではＥＧＳＭ（Extend Global System for Mobile Communication:ＧＳＭ９００ともいう）が採用されている。また、ヨーロッパや北米では、類似の方式によりながら通信周波数帯の異なるＤＣＳ（Digital Cellular System：ＧＳＭ１８００ともいう）やＰＣＳ（Personal Communications Service：ＧＳＭ１９００ともいう）も使用されている。
【０００９】
マルチバンド電話機では、例えばＧＳＭ８５０やＥＧＳＭなどを低域側周波数帯として取り扱い、ＤＣＳやＰＣＳは高域側周波数帯として取り扱うことになるが、前者が１ＧＨｚ未満の比較的低い周波数帯であるのに対し、後者は１．５ＧＨｚを超える高周波帯域である。この程度の周波数の開きがある場合、同じ設計のＰＩＮダイオードスイッチ回路を適用すると、後者の周波数帯でのＯＦＦ時のアイソレーション特性は、前者の周波数帯での値と比べて１０ｄＢ以上も悪化することがある。そのため、高域側周波数帯用のＰＩＮダイオードスイッチ回路では、アイソレーションを確保するためにＰＩＮダイオードと並列にコイルを挿入することが行なわれている。これにより、ＰＩＮダイオードの静電容量とコイルのインダクタンスとにより並列共振器が形成され、希望する周波数でのインピーダンスを高めることができる。
【００１０】
しかし、この方法には次のような欠点がある。
（１）並列共振器用のコイルを外付けすると部品点数が増え、また、基板中に内層する場合は、コイルの占有スペースが大きいため、基板サイズが肥大化する。ただでさえ競争の激しい携帯電話の分野では、これらはコスト的に大きな不利となる。また、基板中に大きなコイルを内層するとノイズを拾いやすくなったり、他の導体層との間で寄生キャパシタンスを発生しやすくなったりするなどの問題も生じやすくなるので、設計上の制約も大きくなる。
（２）並列共振器の周波数特性は、共振周波数に極を有するノッチ型の鋭い形状となるため、該共振周波数近傍の狭い周波数帯域でしかみインピーダンスを高める効果が得られない。従って、通信周波数帯の全域において必ずしも一様なアイソレーション向上効果が期待できない場合がある。
【００１１】
本発明の課題は、分波回路により受信信号を高域側信号と低域側信号とに分離してスイッチングを行なう際に、スイッチ回路のコンパクト化と高アイソレーション特性とを両立でき、しかも全体を安価に構成できる高周波信号処理回路と、それを用いた無線電話端末とを提供することにある。
【課題を解決するための手段及び発明の効果】
【００１２】
本発明の高周波信号処理回路は、複数の通信周波数帯間で切り替え可能な無線電話端末に使用される高周波信号処理回路であって、上記の課題を解決するために、
アンテナに接続して使用され、受信信号と送信信号との入出力に共用されるアンテナ側入出力端子と、
アンテナ側入出力端子につながり、アンテナを介して受信する受信信号を、高域側信号と低域側信号とに分離する分波回路と、
高域側信号を取り扱うために設けられ、分波回路からの、高域側信号の周波数帯に属する分波受信信号を無線電話端末の受信回路側へ出力する受信出力端子と、無線電話端末の送信回路からの高域側信号の周波数帯に属する送信出力信号が入力される送信入力端子とを備え、それら受信出力端子と送信入力端子とのアンテナ側入出力端子に対する接続を切り換えるとともに、当該切り替えを行なうスイッチ素子として高周波用化合物半導体トランジスタを用いる高域側スイッチ回路と、
低域側信号を取り扱うために設けられ、分波回路からの、低域側信号の周波数帯に属する分波受信信号を無線電話端末の受信回路側へ出力する受信出力端子と、無線電話端末の送信回路からの低域側信号の周波数帯に属する送信出力信号が入力される送信入力端子を備え、それら受信出力端子と送信入力端子とのアンテナ側入出力端子に対する接続を切り替えるとともに、当該切り替えを行なうスイッチ素子としてＰＩＮダイオードを用いる低域側スイッチ回路と、を有したことを特徴とする。
【００１３】
また、本発明の無線電話端末は、上記本発明の高周波信号処理回路と、
該高周波信号処理回路のアンテナ側入出力端子に接続されるアンテナと、
複数の受信出力端子に個別に接続された端末受信帯抽出用バンドパスフィルタ回路及び受信回路と、
送信入力端子に接続される送信回路と、
を備えたことを特徴とする。
【００１４】
上記本発明においては、分波回路により分離された高域側信号と低域側信号のうち、高域側信号を取り扱う高域側スイッチ回路のスイッチ素子を高周波用化合物半導体トランジスタにて構成し、低域側信号を取り扱う低域側スイッチ回路のスイッチ素子をＰＩＮダイオードにて構成した。高周波用化合物半導体トランジスタは高周波数帯、特に１．５ＧＨｚを超える周波数帯においても、ＰＩＮダイオードスイッチ回路と比べ、はるかに広い周波数領域で良好なアイソレーション特性を確保でき、また、ＰＩＮダイオードスイッチ回路では必須だった並列共振子や、バイアス回路形成用の周辺コンデンサやコイルも不要である。従って、高域側スイッチ回路の構成が大幅に簡略化され、コイルの外付けや基板への内層も必要でなくなるので、スイッチ回路のコンパクト化と、通信周波数全帯域での高アイソレーション特性確保とを両立できる。他方、低域側スイッチ回路は、信号周波数が低いため（例えば１ＧＨｚ未満）、ＰＩＮダイオードを用いた回路を使用してもアイソレーションは十分に確保できる。従って、低域側スイッチ回路をＰＩＮダイオードスイッチ回路として構成することで、高価な高周波用化合物半導体トランジスタの使用個数が削減でき、高周波信号処理回路全体を安価に構成することができる。
【００１５】
特に低域側スイッチ回路は、信号周波数が低いため、高域側スイッチ回路と比較すれば、ＰＩＮダイオードの静電容量が形成するＯＦＦ時のリアクタンスが十分高く、並列共振子を用いなくとも良好なアイソレーション特性を得ることができる。従って、ＰＩＮダイオードと並列なインダクタが設けられていない構成とすることができ、低域側スイッチ回路ひいては高周波信号処理回路全体のコンパクト化及びコスト削減に寄与できる。
【００１６】
高周波用化合物半導体トランジスタは、具体的には化合物半導体電界効果トランジスタにて構成することができる。例えば、ＧａＡｓ系電界効果トランジスタには、ＧａＡｓ系ＭＥＳＦＥＴ（Metal-Semiconductor Field Effect Transistor)及びＨＥＭＴ（High Electron Mobility Transistor）などがあり、いずれも無線電話端末が取り扱う８００〜３ＧＨｚの送受信信号の切替スイッチに用いた場合、ＯＮ導通時には通過させるべき高周波送受信信号の低雑音性と高利得とを両立でき、また、ＯＦＦ遮断時のアイソレーション特性も極めて高いので、本発明に好適に使用できる。ＧａＡｓ系ＭＥＳＦＥＴは、モノリシックＩＣプロセスによる複数素子の集積化も容易であり（例えばＭＭＩＣ（Monolithic Microwave Integrated Circuit）、回路の小型化にも有効である。他方、ＧａＡｓ系ＨＥＭＴは、ＧａＡｓ系化合物半導体（ＡｌＧａＡｓ、ＩｎＧａＡｓを含む）のヘテロ接合により形成される量子的な二次元電子ガス層を電流チャネルとして用いた一種の電界効果型トランジスタであり、電子移動度が極めて高い。このため、高周波域における雑音指数が非常に小さく利得も高い特徴がある（例えば、１２ＧＨｚでの雑音指数：０．４１ｄＢ、利得：１３ｄＢ）。なお、これ以外のデバイスとしては、ＨＢＴ（Heterobipolar Transistor）を採用することも可能である。
【００１７】
上記本発明の高周波信号処理回路は、高域側スイッチ回路を以下のように構成することができる。すなわち、高域側信号の周波数帯域に属する複数の通信周波数帯であって、一方の通信周波数帯の端末受信帯と他方の通信周波数帯の端末送信帯との間で重なりを有する２つの通信周波数帯を含んだ複数の通信周波数帯を取り扱うものとする。また、複数の通信周波数に個別に対応した複数の受信出力端子を有する。それら受信出力端子は、それぞれ、各受信出力端子の端末受信帯に対応した通過周波数帯域を有する個別の端末受信帯抽出用バンドパスフィルタ回路を接続することができる。そして、送信入力端子がアンテナ側入出力端子に接続された送信接続モードと、受信出力端子がアンテナ側入出力端子に接続された受信接続モードとの間で相互切り替えを行なうとともに、受信接続モードにおいては、受信出力端子のうち、使用する通信周波数帯に対応するものを１つ選択してアンテナ側入出力端子に接続するものとする。
【００１８】
例えば、トリプルバンド型あるいはクワッドバンド型無線電話端末などにおいて、分波回路により分波される高域側信号と低域側信号とのうち、少なくとも高域側信号が、複数の通信周波数帯を含んだ分波信号とされる場合、次のような問題が生ずる場合がある。すなわち、マルチバンド電話機においては、方式毎に割り当てられた通信周波数帯の受信信号がバンドパスフィルタ回路により抽出される。この割り当てられる通信周波数帯は、電波資源の有効活用のため、一般に５０〜７５ＭＨｚ程度の狭帯域とされており、上記バンドパスフィルタ回路もこれに適した狭帯域フィルタ回路が使用される。ここで、図９の中段に掲げた表は、１．５ＧＨｚ以上の高域側信号を取り扱うＰＣＳとＤＣＳの各割り当て周波数帯を示す。いずれも相互にかなり接近した周波数帯が割り当てられていることがわかる。また、さらに注意してみると、図の下段のグラフに掲げた通り、ＰＣＳの端末送信帯（Ｔｘ３）とＤＣＳの端末受信帯（Ｒｘ４）が、それぞれ一部の周波数域で重なり合っていることがわかる。
【００１９】
この場合、高域側スイッチ回路を送信側に切り替えたとき、スイッチ内での受信出力端子側への信号のアイソレーションが不十分であると、送信信号の一部が受信出力端子側へ漏洩する。このとき、送信信号の帯域と受信信号の帯域が十分に離れていれば、その下流側に設けられたバンドパスフィルタ回路により漏洩信号をカットできる。しかし、図９に示すように、２つの異なるバンドの端末送信帯と端末受信帯とが重なり合っていると、端末受信帯に特化された狭帯域のバンドパスフィルタを用いていても、端末送信帯と重なっている周波数帯域の送信信号はこのバンドパスフィルタを通過し、受信回路側へ流れ込んで誤動作等の原因につながる問題がある。
【００２０】
しかしながら、本発明においては、高域側スイッチ回路のスイッチ素子を、高域側でのアイソレーション特性が極めて良好な高周波用化合物半導体トランジスタにて構成したから、送信接続モードにおける送信信号の受信出力端子側への漏洩を確実に阻止することができる。その結果、２つの異なるバンドの端末送信帯と端末受信帯とがたとえ重なっていても、端末送信帯と重なっている周波数帯域の送信信号が端末受信帯抽出用バンドパスフィルタ回路を通過して受信回路側へ流れ込み、誤動作等を引き起こす不具合を効果的に防止することができる。
【００２１】
なお、端末受信帯抽出用バンドパスフィルタ回路において、「受信出力端子の端末受信帯に対応した通過周波数帯域を有する」とは、割り当てられた端末受信帯の幅をＷＳとし、端末受信帯抽出用バンドパスフィルタ回路の高域側カットオフ周波数をｆｃＨ、低域側カットオフ周波数をｆｃＬとしたとき、区間［ｆｃＨ、ｆｃＬ］が端末受信帯の内側に包含され、かつ、Ｊ＝｛（ｆｃＨ―ｆｃＬ）−ＷＳ｝／（ｆｃＨ―ｆｃＬ）が１０％以下であることをいう。これは、Ｊが１０％を超えると、端末受信帯の信号の抽出精度が損なわれるためである。特に、端末受信帯の幅が５０〜７５ＭＨｚ程度の狭帯域である場合、端末受信帯抽出用バンドパスフィルタ回路は、弾性表面波共振器を含んで構成されたフィルタ回路とすることが、Ｊを縮小して端末受信帯の信号の抽出精度を高める観点において望ましい。
【発明を実施するための最良の形態】
【００２２】
以下、本発明の実施の形態を、図面を用いて説明する。
図１は、複数の周波数帯域を扱う無線電話端末の一例である、クワッドバンド型デジタル携帯電話機（以下、単に携帯電話機ともいう）の電気的構成を示すブロック図である。携帯電話機１は、入出力インターフェース１１と、これに接続されるＣＰＵ１２、ＲＯＭ１３及びＲＡＭ１４等からなる主制御部としての制御用マイクロプロセッサ１０を有し、その入出力インターフェース１１には、テンキー型の周知のプッシュボタンで構成されたダイアル入力部５、携帯電話機１をオンフック状態とオフフック状態との間で切り替えるオンフック／オフフック切換スイッチ６、及び通信周波数帯を切り替えるバンド切換スイッチ７が接続される。本実施形態では、ＥＧＳＭ、ＧＳＭ８５０、ＰＣＳ及びＤＣＳの４つの通信方式間にて切り替えが可能とされている。例えばＰＣＳ及びＤＣＳに割り当てられた通信周波数帯（端末受信帯と端末送信帯）は、図９に示す通りである。また、受話器３はアンプ１５とＤ／Ａ変換器１６を介して、送話器４はアンプ１７とＡ／Ｄ変換器１８とを介して、さらに液晶モニタ（ＬＣＤ）１９がモニタ制御回路２０を介して、それぞれ入出力インターフェース１１に接続されている。
【００２３】
また、入出力インターフェース１１には電話接続回路９が接続されている。該電話接続回路９は、ＥＧＳＭ用の第一変調部３２Ａ、第一送信部３３Ａ、第一受信部３５Ａ及び第一復調部３６Ａ、ＧＳＭ８５０用の第二変調部３２Ｂ、第二送信部３３Ｂ、第一受信部３５Ｂ及び第一復調部３６Ｂ、ＰＣＳ用の第三変調部３２Ｃ、第三送信部３３Ｃ、第三受信部３５Ｃ及び第三復調部３６Ｃ、ＤＣＳ用の第四変調部３２Ｄ、第四送信部３３Ｄ、第四受信部３５Ｄ及び第四復調部３６Ｄ、通信搬送波を必要な周波数にて合成する周波数シンセサイザ３４、本発明の一実施形態をなす高周波信号処理回路２及びこれに接続されるアンテナ３９、高周波信号処理回路２に含まれる分波回路４４（図２：後述）を経て、各帯域に分波された分波受信信号から、各通信周波数帯における端末受信帯に属した受信信号を抽出する端末受信帯抽出用バンドパスフィルタ回路４０Ａ，４０Ｂ，４０Ｃ，４０Ｄ等を含んで構成される。また、図示は省略しているが、電話接続回路９には、ハンドオーバー用の制御用電波発信部も含まれている。
【００２４】
上記電話接続回路９の構成要素のうち、高周波信号処理回路２以外の部分は、一般のデジタル携帯電話機と何ら変わりはなく周知であるので、詳細な説明は省略する。また、携帯電話機１の基本動作も周知のものと同様であるが、概略を述べれば以下の通りである。すなわち、送話器４から入力された音声はアンプ１７で増幅され、さらにＡ／Ｄ変換器１８によりデジタル変換された後、選択された通信周波数帯に対応する変調部（３２Ａ〜３２Ｄ）により変調され、さらに送信部（３３Ａ又は３３Ｂ）にて搬送波と合成・増幅され、高周波信号処理回路２及びアンテナ３９から送信される。他方、受信電波はアンテナ３９及び高周波信号処理回路２を介して選択された通信周波数帯に対応する受信部（３５Ａ〜３５ＤＢ）で受信され、搬送波成分が取り除かれた後、復調部（３６Ａ〜３６Ｄ）でデジタル音声信号に復調され、Ｄ／Ａ変換機１６及びアンプ１５を介して受話器３から出力される。
【００２５】
高周波信号処理回路２は、受信信号と送信信号とを、スイッチ制御用信号（後述するＶＣ１〜ＶＣ６：信号制御は制御用マイクロプロセッサ１０が行なう）を受けて、時分割方式で切り替える。他方、通信周波数帯の切り替えは、本実施形態ではバンド切換スイッチ７の操作により制御用マイクロプロセッサ１０が行なうようにしているが、周波数シンセサイザ３４を用いてバンドスキャンを行い、適合する周波数帯に自動切り替えを行なうようにしてもよい。なお、制御用マイクロプロセッサ１０が行なう切換処理は、主として、入出力インターフェース１１における変調部３２Ａ〜３２Ｄ及び復調部３６Ａ〜３６Ｄのポート切換処理、及び周波数シンセサイザ３４への指示周波数切換処理等である。
【００２６】
次に、図２は、高周波信号処理回路２の電気的構成を示すブロック図である。高周波信号処理回路２は前述の通りアンテナ３９に接続して使用されるものであり、アンテナ受信信号とアンテナ送信信号との入出力に共用されるアンテナ側入出力端子ＡＮＴと、該アンテナ側入出力端子ＡＮＴにつながり、アンテナ３９を介して受信する受信信号を、低域側信号２と高域側信号４とに分離する分波回路４４を備えている。該分波回路４４により分波される低域側信号２と高域側信号４とは、双方がそれぞれ複数の通信周波数帯、具体的には前者がＧＳＭ８５０とＥＧＳＭ、後者がＰＣＳとＤＣＳとの各信号を含んだ分波信号とされている。そして、各分波信号の出力側にそれぞれ低域側スイッチ回路４２Ａ及び高域側スイッチ回路４２Ｂが設けられている。
【００２７】
高域側信号４は、図２のハイパスフィルタ回路４６により抽出・分波され、低域側信号はローパスフィルタ回路４５により抽出・分波される。ハイパスフィルタ回路４６及びローパスフィルタ回路４５は、本実施形態ではいずれもアナログフィルタ回路（ここではＬＣパッシブフィルタ回路）にて構成されている。分波回路４４からの各端末受信帯の受信信号は、各送信部３３Ａ〜３３Ｄからアンテナ３９に向かう各端末送信帯の送信信号との間で、対応するスイッチ回路４２Ａ，４２Ｂにより切り替えられる。
【００２８】
図３は、高周波信号処理回路２の詳細を示す回路図である。分波回路４４において、ローパスフィルタ回路４５は、ローパスフィルタの要部をなすコンデンサＣ107と、これに並列に挿入されるコンデンサＣ108及びコイルＬ106を含む。コンデンサＣ108及びコイルＬ106は、通過帯域より高周波側に減衰極を生じさせる（つまり、フィルタ回路の減衰特性を急峻化させる）ＬＣ共振型バンドリジェクトフィルタ回路を構成する。本実施形態では、高域側信号４と低域側信号２とを、１ＧＨｚ前後を境として切り分ける必要があり、コンデンサＣ107，Ｃ108の容量及びコイルＬ106のインダクタンスも、これに適合するカットオフ周波数及び減衰極位置が得られるように調整される。基本的には、コンデンサＣ107は、通過帯域では十分インピーダンスが高く、これより高周波側ではインピーダンスが十分低くなるように、容量を調整する。逆に、コイルＬ106は減衰極の調整機能を十分に果たし、かつ通過帯域の信号を不必要に減衰させないよう、通過帯域では十分インピーダンスが低く、これより高周波側ではインピーダンスが十分高くなるように、インダクタンスを調整する。
【００２９】
一方、ハイパスフィルタ回路４６は、ハイパスフィルタの要部をなすコンデンサＣ207，Ｃ208と、これに並列に挿入されるコンデンサＣ209及びコイルＬ206を含む。コンデンサＣ209及びコイルＬ206は、通過帯域より低周波側に減衰極を生じさせるＬＣ共振型バンドパスフィルタ回路を構成する。コンデンサＣ207，Ｃ208は、通過帯域では十分インピーダンスが低く、これより低周波側ではインピーダンスが十分高くなるように、容量を調整する。他方、コイルＬ106は、通過帯域では十分インピーダンスが高く、これより低周波側ではインピーダンスが十分低くなるように、インダクタンスを調整する。
【００３０】
スイッチ回路４２Ａ，４２Ｂは、いずれも送信入力端子ＴＸ１ＴＸ２／ＴＸ３ＴＸ４がアンテナ側入出力端子ＡＮＴに接続された送信接続モードと、受信出力端子ＲＸ１，ＲＸ２／ＲＸ３，ＲＸ４がアンテナ側入出力端子ＡＮＴに接続された受信接続モードとの間で相互切り替えを行なうものである。スイッチ回路４２Ａは低域側信号２の処理用であり、携帯電話機１（図１）の受信回路（受信部３５Ａ／３５Ｂ、復調部３６Ａ／３６Ｂ）側へ受信信号をそれぞれ出力する受信出力端子ＲＸ１（ＥＧＳＭ用），ＲＸ２（ＧＳＭ８５０用）、携帯電話機１の送信回路（変調部３２Ａ／３２Ｂ、送信部３３Ａ／３３Ｂ）からの送信信号が入力される送信入力端子ＴＸ１ＴＸ２（ＥＧＳＭ／ＧＳＭ８５０共用（後述））とを有し、アンテナ側入出力部ＡＮＴに対する受信出力端子ＲＸ１，ＲＸ２と送信入力端子ＴＸ１ＴＸ２との接続を切り換えるものである。また、スイッチ回路４２Ｂは高域側信号４の処理用であり、携帯電話機１（図１）の受信回路（受信部３５Ｃ／３５Ｄ、復調部３６Ｃ／３６Ｄ）側へ、受信信号をそれぞれ出力する受信出力端子ＲＸ３（ＰＣＳ用），ＲＸ４（ＤＣＳ用）と、携帯電話機１の送信回路（変調部３２Ｃ／３２Ｄ、送信部３３Ｃ／３３Ｄ）からの送信信号が入力される送信入力端子ＴＸ３ＴＸ４（ＰＣＳ／ＤＣＳ共用（後述））とを有し、アンテナ側入出力部ＡＮＴに対する受信出力端子ＲＸ３，ＲＸ４と送信入力端子ＴＸ３ＴＸ４との接続を切り換えるものである。
【００３１】
低域側スイッチ回路４２Ａは、ＰＩＮダイオードスイッチとして構成されている。すなわち、受信出力端子Ｒｘ１（ＥＧＳＭ用）と送信入力端子Ｔｘ１Ｔｘ２（ＥＧＳＭ／ＧＳＭ８５０共用（後述））とのアンテナ側入出力部ＡＮＴへの接続を個別に切り替えるためのスイッチングダイオードＤ1，Ｄ3が，それぞれ対応する線路上に設けられている。これら線路には、スイッチングダイオードをＤ1，Ｄ3を独立して動作制御するために、該スイッチングダイオードＤ1，Ｄ3にそれぞれバイアス電圧を印加する、スイッチング制御端子ＶＣ１，ＶＣ３が分岐して設けられている。他方、受信出力端子Ｒｘ２（ＧＳＭ８５０用）の経路上には、上記スイッチングダイオードＤ1，Ｄ3と組み合わされる共振用ダイオードＤ2が設けられている。
【００３２】
ダイオードＤ1〜Ｄ3はいずれもＰＩＮダイオードで構成され、順方向バイアス電圧の印加レベルにより、高周波可変抵抗素子として機能するものである。端子ＶＣ１及びＶＣ３側に設けられたコイルＬ1，Ｌ3は、バイアス回路の一部をなすものであり、送信入力信号がＶＣ１ないしＶＣ３側に逆流することを阻止するチョークコイルである。また、共振用ダイオードＤ2のカソード側に設けられたコンデンサＣ2もバイアス回路の一部をなすものであり、ノイズ除去の機能を果たす。さらに、共振用ダイオードＤ2のカソード側は、調整抵抗Ｒ１を介して接地されている。
【００３３】
受信入力端子Ｒｘ１に信号出力する際には、端子ＶＣ１への順方向バイアス電圧を閾値以上に設定し、端子ＶＣ３への順方向バイアス電圧を閾値以下とする。これにより、スイッチングダイオードＤ1と共振用ダイオードＤ2とが共振結合して、受信入力端子Ｒｘ１の信号通過が許容される（すなわち、スイッチＯＮとなる）。他方、送信入力端子Ｔｘ１Ｔｘ２は信号通過が遮断される（すなわち、スイッチＯＦＦとなる）。また、送信入力端子Ｔｘ１Ｔｘ２へ信号入力する際には、端子ＶＣ３への順方向バイアス電圧を閾値以上に設定し、端子ＶＣ２への順方向バイアス電圧を閾値以下とする。これにより、スイッチングダイオードＤ3と共振用ダイオードＤ2とが共振結合して、送信入力端子Ｔｘ１Ｔｘ２の信号通過が許容され、受信入力端子Ｒｘ１の信号通過が遮断される。いずれの場合も、受信出力端子Ｒｘ２は、スイッチングダイオードＤ1ないしＤ3と共振用ダイオードＤ2との共振結合により信号通過が遮断された状態となる。一方、ＶＣ１，ＶＣ３がいずれも閾値以下となっている場合は、スイッチングダイオードＤ1，Ｄ3がいずれも高インピーダンスとなり、共振用ダイオードＤ2との共振結合も生じないので、受信出力端子Ｒｘ２の信号通過が許容される。
【００３４】
次に、高域側のスイッチ回路４２Ｂは、アンテナ側入出力部ＡＮＴと、受信出力端子ＲＸ３、受信出力端子ＲＸ４及び送信入力端子ＴＸ３ＴＸ４とをつなぐ各経路上にドレイン及びソースが接続されたＧａＡｓ系ＭＥＳＦＥＴ（あるいは複数のＭＥＳＦＥＴをモノリシック化した素子）よりなるトランジスタＴｒ１，Ｔｒ２，Ｔｒ３（本実施形態では、（株）ＳＯＮＹ社のＣＸＧ１１０１ＴＮが使用されている）がそれぞれ設けられ、それらトランジスタＴｒ１，Ｔｒ２，Ｔｒ３のゲートにスイッチ制御用信号ＶＣ４，ＶＣ５，ＶＣ６が個別に入力される。ＶＣ４，ＶＣ５，ＶＣ６はいずれも二値の制御信号であり、送信接続モードでは、送信入力端子ＴＸ３ＴＸ４に対応したトランジスタＴｒ３のみがＯＮとなり、他はＯＦＦとなるようにＶＣ４，ＶＣ５，ＶＣ６の入力状態が制御される。また、送信接続モードでは、受信出力端子ＲＸ３及び受信出力端子ＲＸ４のいずれか一方に対応したトランジスタＴｒ１又はトランジスタＴｒ２が選択的にＯＮとなり、他はＯＦＦとなるようにＶＣ４，ＶＣ５，ＶＣ６の入力状態が制御される。
【００３５】
図２の、端末受信帯抽出用バンドパスフィルタ回路４０Ａ（ＥＧＳＭ用：通過帯域８８０〜９６０ＭＨｚ），４０Ｂ（ＧＳＭ８５０用：通過帯域８２４〜８９４ＭＨｚ），４０Ｃ（ＰＣＳ用：通過帯域１８５０〜１９９０ＭＨｚ），４０Ｄ（ＤＣＳ用：通過帯域１７１０〜１８８０ＭＨｚ）は、受信出力端子ＲＸ１、ＲＸ２、ＲＸ３、ＲＸ４に接続され、本実施形態ではいずれも弾性表面波共振器を含んで構成された狭帯域フィルタ回路として構成されている。図５は、そのようなフィルタ回路の一例を示すもので、弾性表面波共振器としてインターディジタルトランスデューサ型（以下、ＩＤＴ型略称する）共振器が使用されている。ＩＤＴ共振器は、圧電性セラミック板上に形成された多数対のすだれ状電極の上を、反射・透過しながら伝播する弾性表面波による共振現象を利用するものであり、これを組み込んだ図５のバンドパスフィルタ回路は、その共振周波数の近傍に非常に鋭い狭帯域通過特性を示すものとなる。なお、弾性表面波共振器及びこれを含んだ図５のフィルタ回路自体は、文献（Proc. IEEE, 64, 5, p.685 (1976)）により公知になっているので、これ以上の詳細な説明は省略する。なお、ＩＤＴ型共振器に代えて、キャビティ型共振器を用いた狭帯域フィルタ回路を用いてもよい。
【００３６】
なお、図３のスイッチ回路４２Ａ，４２Ｂのうち、分波回路４４の少なくとも高域側信号４の出力側に設けられたもの（４２Ａ）、本実施形態では高域側信号４と低域側信号２との双方の出力側に設けられたもの（４２Ａ，４２Ｂ）の送信入力端子ＴＸ１ＴＸ２及びＴＸ３ＴＸ４は、当該スイッチ回路４２Ａ，４２Ｂが取り扱う２つの通信周波数帯において共用化される単一端子として構成されている。図１に示すように、各送信入力端子ＴＸ１ＴＸ２，ＴＸ３ＴＸ４への送信信号の入力は、高周波用ローノイズアンプ２１，２２を介してなされる。
【００３７】
図３の送信入力端子ＴＸ１ＴＸ２，ＴＸ３ＴＸ４には、それら２つの通信周波数の端末送信帯を包含する通過帯域を有する送信用ローパスフィルタ回路４１Ａ、４１Ｂが接続されている。送信側信号の周波数は、周波数シンセサイザにより合成されるため基本的に帯域は狭く、携帯電話機１(図１)の内部的ないし外部的要因に基づくバックグラウンドノイズが除去できれば十分である。従って、図１のように、受信側端子ＲＸ１〜ＲＸ４のように狭帯域のバンドパスフィルタ４０Ａ〜４０Ｄを個別に設けなくとも、ＬＣローパスフィルタ回路を用いれば、低レベルのバックグラウンドノイズ程度であれば十分に除去できる。さらに、ＬＣローパスフィルタ回路の通過帯域は比較的広いので、図３おいて、２つの通信周波数帯の送信入力端子を共用化して単一端子ＴＸ１ＴＸ２及び単一端子ＴＸ３ＴＸ４とし、バックグラウンドノイズ除去用の送信用ローパスフィルタ回路４１Ａ、４１Ｂも共用化してしまえば、回路構成を大幅に簡略化できる利点が生ずる。
【００３８】
本実施形態においては、図３のように、送信用ローパスフィルタ回路４１Ａ，４１Ｂは、それぞれコンデンサＣ101〜Ｃ103／201〜Ｃ203とコイルＬ101／Ｌ201により、分波回路４４のローパスフィルタ回路４５と同様に構成されている。特に、高域側信号４を扱うスイッチ回路４２Ａ側については、送信用ローパスフィルタ回路４１Ｂの採用により、弾性表面波共振器を含んで構成された高価な狭帯域フィルタ回路を安価に置き換える効果に留まらず、周波数が高い分だけ使用するコイルＬ201も小型化でき、回路全体をコンパクトに構成できる利点も生ずる。
【００３９】
図３の回路素子は、分波回路４４をなすハイパスフィルタ回路４６とローパスフィルタ回路４５との構成部品、本実施形態では、さらに送信用ローパスフィルタ回路４１Ａ，４１Ｂの構成部品が、図４に示すように、回路パターン５３，５４，５５と誘電体層５０とが積層された積層体８０において、回路パターン５３，５４，５５に組み込まれた形で内層されてなり、かつ、スイッチ回路をなす高周波用化合物半導体トランジスタ５１が積層体の表面に実装された構造となっている（積層体に内層されたフィルタは、本実施形態では、いずれもＬＣフィルタにより構成されている）。これにより、高周波信号処理回路の大幅な小型化が可能となり、携帯電話機１内での占有スペースを大幅に削減することができる。
【００４０】
例えば、抵抗器５５（図３の抵抗Ｒ１など）を回路に組み込む場合は、図６に示すように、蛇行した細長い導電体層パターンにより形成できる。コンデンサ５４は、図７に示すように、誘電体層５０を間に挟む形で対向する電極板５４ａ，５４ｂにより形成できる。さらに、コイル５３は、複数の誘電体層５０にまたがる巻線パターン５３ａを層間ビア５９により接続する形で形成できる。他方、誘電体層５０は、例えばホウケイ酸塩鉛ガラスとアルミナからなるガラスセラミック等のセラミックで構成される。積層体８０は、誘電体層５０の原料となるセラミックグリーンシート上に、導電性ペーストを用いて回路パターンを厚膜印刷し、積層して焼成する方法により製造される。
【００４１】
また、本実施形態では、図４に示すように、ハイパスフィルタ回路４６あるいはローパスフィルタ回路４５，４１Ａ，４１Ｂに含まれるコイル５３の、積層体８０の積層方向における少なくとも片側、本実施形態では両側に、当該コイル５３と対向する電極板５６が設けられている。そして、それらコイル５３と電極板５６との間に位置する誘電体層５０に、ハイパスフィルタ回路４６あるいはローパスフィルタ回路４５，４１Ａ，４１Ｂの構成要素をなすコンデンサ５４が組み込まれている。近年、高周波スイッチ用の積層体８０は、部品規格統合の一環としてインピーダンスの統一化が進められており、積層体８０全体のインピーダンスレベルを、ある指定値（例えば５０Ω）に合わせ込むことが義務付けられるようになってきている。しかしながら、回路パターンの線幅や、作りこまれた素子あるいは接地用電極板などの位置関係によっては寄生キャパシタンスが生じ、インピーダンスの増加を生ずることがある。特に、導電体の分布面積が大きくなりがちなコイル５３と接地用等に用いられる大面積の電極板５６との間には、高容量の寄生キャパシタンスが生じやすい。従って、上記のインピーダンスを指定値に合わせるには、寄生キャパシタンスを小さくするために、コイル５３と電極板５６との距離を一定以上に大きく設定すること（例えば１５０μｍ以上）が必要となる。この場合、そのままではコイル５３と電極板５６との間の誘電体層５０がデッドスペースとなり、積層体８０のサイズが大きくなってしまう問題がある。これは、近年小型化の傾向が著しい携帯電話機の分野では明らかに不利である。そこで、ハイパスフィルタ回路４６あるいはローパスフィルタ回路４５，４１Ａ，４１Ｂのうちの少なくともいずれかの構成要素をなすコンデンサ５４を該誘電体層５０内に組み込めば、デッドスペースの発生が解消され、積層体８０のコンパクト化を図ることができる。
【００４２】
上記高周波信号処理回路２及びこれを用いたクワッドバンド型携帯電話機１によると、図３の分波回路４４により分離された高域側信号と低域側信号のうち、高域側信号を取り扱う高域側スイッチ回路４２Ｂのスイッチ素子を高周波用化合物半導体トランジスタＴｒ１〜Ｔｒ３にて構成し、低域側信号を取り扱う低域側スイッチ回路のスイッチ素子をＰＩＮダイオードＤ1，Ｄ3にて構成した。高周波用化合物半導体トランジスタは、ＰＣＳやＤＣＳに用いる１．５ＧＨｚを超える周波数帯においても、ＰＩＮダイオードスイッチを用いる場合と比べ、はるかに広い周波数領域で良好なアイソレーション特性を確保でき、また、高域用のＰＩＮダイオードスイッチ回路では必須だった並列共振子や、バイアス回路形成用の周辺コンデンサやコイルも不要となる。従って、高域側スイッチ回路４２Ｂは、トランジスタＴｒ１〜Ｔｒ３を主体とした非常に簡略なものとなり、スイッチ回路のコンパクト化と、通信周波数全帯域での高アイソレーション特性確保とを両立できる。他方、低域側スイッチ回路４２Ａは、取り扱う信号周波数帯がＧＳＭ８５０やＥＧＳＭに対応した１ＧＨｚ未満のものであり、ＰＩＮダイオードスイッチ回路として構成してもアイソレーションは十分に確保できる。その結果、高価な高周波用化合物半導体トランジスタの使用個数が削減でき、高周波信号処理回路２の全体を安価に構成することができる。
【００４３】
また、高域側スイッチ回路４２Ｂにおいては、ＧａＡｓ系ＭＥＳＦＥＴをスイッチング素子として用いているので、送信接続モードにおいて、受信回路側へつながる経路がＯＦＦ状態のトランジスタＴｒ１，２により確実に遮断され、送信信号の受信回路側へのアイソレーション特性が飛躍的に向上する。その結果、図９を用いて既に説明した通り、２つの異なる通信周波数帯（ＰＣＳ／ＤＣＳ）の端末送信帯と端末受信帯とが重なり合っているにもかかわらず、送信信号の一部が受信回路側へ漏洩する不具合をほとんど生じない。
【００４４】
なお、以上説明した実施形態は、クワッドバンド型携帯電話機への適用例にして示したが、トリプルバンド型携帯電話機など、バンド数の異なる他の携帯電話にももちろん適用可能である。また、高周波用化合物半導体トランジスタは、上記実施形態ではＭＥＳＦＥＴを使用したが、当然、ＨＥＭＴやＨＢＴにより構成してもよく、また、これらトランジスタを線路や他のデバイスと共に半導体基板（例えばＧａＡｓ基板）上に集積した高周波ＩＣとしてスイッチ回路を構成してもよい。
【図面の簡単な説明】
【００４５】
【図１】本発明の無線電話端末の一実施形態を示す携帯電話機の全体構成を示すブロック図。
【図２】その高周波信号処理回路のブロック図。
【図３】図２の高周波信号処理回路の詳細を示す回路図。
【図４】積層体の構造の一例を示す断面模式図。
【図５】弾性表面波共振器を含んで構成された狭帯域フィルタ回路の一例を示す図。
【図６】積層体における抵抗器の形成態様を示す模式図。
【図７】同じくコンデンサの形成態様を示す模式図。
【図８】同じくコイルの形成態様を示す模式図。
【図９】一方の端末受信帯と他方の端末送信帯との間で重なりを有する２つの通信周波数帯を扱う高域側スイッチ回路の説明図。
【符号の説明】
【００４６】
１  デジタル携帯電話機（無線電話端末）
２  高周波信号処理回路
３２Ａ〜３２Ｄ  変調部（送信回路）
３３Ａ〜３３Ｄ  送信部（送信回路）
３５Ａ〜３５Ｄ  受信部（受信回路）
３６Ａ〜３６Ｄ  復調部（受信回路）
３９  アンテナ
４０Ａ，４０Ｂ，４０Ｃ，４０Ｄ  端末受信帯抽出用バンドパスフィルタ回路
４１Ａ，４１Ｂ  送信用ローパスフィルタ
４２Ａ  低域側スイッチ回路
Ｄ1，Ｄ2，Ｄ3  ＰＩＮダイオード
４２Ｂ  高域側スイッチ回路
Ｔｒ１〜Ｔｒ３，５１  ＧａＡｓ系ＭＥＳＦＥＴ（高周波用化合物半導体トランジスタ）
４４  分波回路
４５  ローパスフィルタ回路
４６  ハイパスフィルタ回路
５３，５４，５５  回路パターン
８０  積層体
ＲＸ１〜ＲＸ４  受信出力端子
ＴＸ１ＴＸ２，ＴＸ３ＴＸ４  送信入力端子
ＡＮＴ  アンテナ側入出力端子
【図１】
2006148975.tif 000003
【図２】
2006148975.tif 000004
【図３】
2006148975.tif 000005
【図４】
2006148975.tif 000006
【図５】
2006148975.tif 000007
【図６】
2006148975.tif 000008
【図７】
2006148975.tif 000009
【図８】
2006148975.tif 000010
【図９】
2006148975.tif 000011
【手続補正書】
【提出日】平成18年3月15日(2006.3.15)
【手続補正１】
【補正対象書類名】特許請求の範囲
【補正対象項目名】全文
【補正方法】変更
【補正の内容】
【特許請求の範囲】
【請求項１】
複数の通信周波数帯間で切り替え可能な無線電話端末に使用される高周波信号処理回路であって、
アンテナに接続して使用され、受信信号と送信信号との入出力に共用されるアンテナ側入出力端子と、
前記アンテナ側入出力端子につながり、前記アンテナを介して受信する受信信号を、高域側信号と低域側信号とに分離する分波回路と、
前記高域側信号を取り扱うために設けられ、前記分波回路からの、前記高域側信号の周波数帯に属する分波受信信号を前記無線電話端末の受信回路側へ出力する受信出力端子と、前記無線電話端末の送信回路からの前記高域側信号の周波数帯に属する送信出力信号が入力される送信入力端子とを備え、それら受信出力端子と送信入力端子との前記アンテナ側入出力端子に対する接続を切り換えるとともに、当該切り替えを行なうスイッチ素子としてＧａＡｓ系電界効果トランジスタからなる高周波用化合物半導体トランジスタを用いる高域側スイッチ回路と、
前記低域側信号を取り扱うために設けられ、前記分波回路からの、前記低域側信号の周波数帯に属する分波受信信号を前記無線電話端末の受信回路側へ出力する受信出力端子と、前記無線電話端末の送信回路からの前記低域側信号の周波数帯に属する送信出力信号が入力される送信入力端子を備え、それら受信出力端子と送信入力端子との前記アンテナ側入出力端子に対する接続を切り替えるとともに、当該切り替えを行なうスイッチ素子としてＰＩＮダイオードを用いる低域側スイッチ回路とを有し、
前記分波回路にて前記高域側信号を分離するためのフィルタ回路が、前記ＧａＡｓ系電界効果トランジスタを用いた前記高域側スイッチ回路への入力系路上に設けられたコンデンサと、該入力経路から接地側へ分岐する経路上に設けられたコイルとを有することを特徴とする高周波信号処理回路。
【請求項２】
前記低域側スイッチ回路に含まれるコイルとして、スイッチング制御端子から前記ＰＩＮダイオードを経て接地に至る経路上にて、前記ＰＩＮダイオードと直列結合されるコイルのみが設けられている請求項１記載の高周波信号処理回路。
【請求項３】
前記高域側スイッチ回路は、
前記高域側信号の周波数帯域に属する複数の通信周波数帯であって、一方の通信周波数帯の端末受信帯と他方の通信周波数帯の端末送信帯との間で重なりを有する２つの通信周波数帯を含んだ複数の通信周波数帯を取り扱うものであり、
前記複数の通信周波数に個別に対応した複数の受信出力端子を有し、
前記送信入力端子が前記アンテナ側入出力端子に接続された送信接続モードと、前記受信出力端子が前記アンテナ側入出力端子に接続された受信接続モードとの間で相互切り替えを行なうとともに、前記受信接続モードにおいては、前記受信出力端子のうち、使用する通信周波数帯に対応するものを１つ選択して前記アンテナ側入出力端子に接続するものとされてなる請求項１又は請求項２に記載の高周波信号処理回路。
【請求項４】
前記分波回路がハイパスフィルタ回路とローパスフィルタ回路とからなり、前記高域側スイッチ回路への入力系路上に設けられたコンデンサが、該ハイパスフィルタ回路に含まれるコンデンサに共用される請求項１ないし４のいずれか１項に記載の高周波信号処理回路。
【手続補正２】
【補正対象書類名】明細書
【補正対象項目名】００１２
【補正方法】変更
【補正の内容】
【００１２】
本発明の高周波信号処理回路は、複数の通信周波数帯間で切り替え可能な無線電話端末に使用される高周波信号処理回路であって、上記の課題を解決するために、
アンテナに接続して使用され、受信信号と送信信号との入出力に共用されるアンテナ側入出力端子と、
前記アンテナ側入出力端子につながり、前記アンテナを介して受信する受信信号を、高域側信号と低域側信号とに分離する分波回路と、
前記高域側信号を取り扱うために設けられ、前記分波回路からの、前記高域側信号の周波数帯に属する分波受信信号を前記無線電話端末の受信回路側へ出力する受信出力端子と、前記無線電話端末の送信回路からの前記高域側信号の周波数帯に属する送信出力信号が入力される送信入力端子とを備え、それら受信出力端子と送信入力端子との前記アンテナ側入出力端子に対する接続を切り換えるとともに、当該切り替えを行なうスイッチ素子としてＧａＡｓ系電界効果トランジスタからなる高周波用化合物半導体トランジスタを用いる高域側スイッチ回路と、
前記低域側信号を取り扱うために設けられ、前記分波回路からの、前記低域側信号の周波数帯に属する分波受信信号を前記無線電話端末の受信回路側へ出力する受信出力端子と、前記無線電話端末の送信回路からの前記低域側信号の周波数帯に属する送信出力信号が入力される送信入力端子を備え、それら受信出力端子と送信入力端子との前記アンテナ側入出力端子に対する接続を切り替えるとともに、当該切り替えを行なうスイッチ素子としてＰＩＮダイオードを用いる低域側スイッチ回路とを有し、
前記分波回路にて前記高域側信号を分離するためのフィルタ回路が、前記ＧａＡｓ系電界効果トランジスタを用いた前記高域側スイッチ回路への入力系路上に設けられたコンデンサと、該入力経路から接地側へ分岐する経路上に設けられたコイルとを有することを特徴とする。